(57)【特許請求の範囲】
【請求項１】
フィルタアセンブリであって、
第１の液体入口と第１の液体出口とを有するハウジングであって、前記第１の液体入口と前記第１の液体出口との間で該ハウジング内に第１の液体流路を画定し、前記ハウジングは、更に、第２の液体入口と第２の液体出口とを有し、かつ、前記第２の液体入口と前記第２の液体出口との間で該ハウジング内に第２の液体流路を画定し、前記第１の液体流路および前記第２の液体流路は、前記ハウジング内で互いに隔てられている、ハウジングと、
前記第１の液体流路に沿って配置される第１のフィルタと、
前記第２の液体流路に沿って配置される第２のフィルタと、
熱交換器と、を備え、
前記第１のフィルタ、前記熱交換器および前記第２のフィルタが、略円筒状であるとともに、前記ハウジング内に同軸状に配置され、前記熱交換器が前記第１のフィルタと前記第２のフィルタとの間に配置され、
前記第１のフィルタは、前記第１の液体流路に沿って第１の透過性フィルタメディアを通って流れる第１の液体から１つまたは複数の物質を除去するように配設された前記第１の透過性フィルタメディアを含み、
前記第２のフィルタは、前記第２の液体流路に沿って第２の透過性フィルタメディアを通って流れる第２の液体から１つまたは複数の物質を除去するように配設された前記第２の透過性フィルタメディアを含み、
前記熱交換器は、第１の側面および第２の側面を有し、前記第１の液体および前記第２の液体の一方から他方に熱を伝達するために、前記第１の液体流路の少なくとも一部が前記熱交換器の前記第１の側面に沿って延び、かつ、前記第２の液体流路の少なくとも一部が前記熱交換器の前記第２の側面に沿って延びる、
フィルタアセンブリ。
【請求項２】
前記ハウジングが、ヘッダと、前記ヘッダに取り外し可能に装着されたボウルとを含む、請求項１に記載のフィルタアセンブリ。
【請求項３】
前記第１の液体入口および前記第１の液体出口の一方が前記ボウルに配置され、前記第１の液体入口および前記第１の液体出口の他方、ならびに前記第２の液体入口および前記第２の液体出口が前記ヘッダに配置される、請求項２に記載のフィルタアセンブリ。
【請求項４】
前記ハウジングが、取り外し可能に取り付けられた第１および第２のセクションを含み、前記フィルタアセンブリが更に、前記ハウジング内に取り外し可能に封着されたフィルタエレメントを含み、前記フィルタエレメントが、少なくとも前記第１のフィルタと前記第２のフィルタとを含む、請求項１に記載のフィルタアセンブリ。
【請求項５】
前記フィルタエレメントが更に、前記熱交換器を含む、請求項４に記載のフィルタアセンブリ。
【請求項６】
前記第１のフィルタおよび前記第２のフィルタの各々が、複数のプリーツを含む、請求項１〜５のいずれか一項に記載のフィルタアセンブリ。
【請求項７】
フィルタ構造体と、第１および第２のエンドキャップと、第１の液体流路と、第２の液体流路とを備えるフィルタエレメントであって、
前記フィルタ構造体が、第１および第２の中空略円筒状フィルタと、互いに対向する第１および第２の端部とを含み、前記第１および第２のフィルタの各々が、内周と、外周と、前記内周と前記外周との間に配置された透過性フィルタメディアとを有し、外径を有する前記第１のフィルタが、前記第１のフィルタの前記外径よりも大きい内径を有する前記第２のフィルタ内に配置され、前記第１のフィルタと前記第２のフィルタとの間に環状空間を画定し、前記フィルタ構造体が更に、前記第１のフィルタと前記第２のフィルタとの間の前記環状空間内に配置された熱伝導性熱交換器であって、前記第１のフィルタに面する第１の側面と、前記第２のフィルタに面する第２の側面とを有する前記熱交換器を含み、
前記第１および第２のエンドキャップは、前記フィルタ構造体の前記第１および第２の端部に装着され、前記第１および第２のエンドキャップは全体として、第１の開口、第２の開口および第３の開口を全体として含み、
前記第１の液体流路は、前記第１のフィルタの前記フィルタメディアを通り、かつ前記熱交換器の前記第１の側面に沿って前記第１の開口と前記第２の開口との間に延び、
前記第２の液体流路は、前記第２のフィルタの前記フィルタメディアを通り、かつ前記熱交換器の前記第２の側面に沿って前記第２のフィルタの前記外周と前記第３の開口との間に延びる、
フィルタエレメント。
【請求項８】
前記第１の開口が、前記第１のエンドキャップに配置されるとともに、前記第１の液体流路を介して前記第１のフィルタの中空内部と流体連通し、前記第２のエンドキャップが、前記第１のフィルタの前記内部を遮断する、請求項７に記載のフィルタエレメント。
【請求項９】
前記第２の開口が、前記第２のエンドキャップに配置されるとともに、前記第１の液体流路を介して前記熱交換器の前記第１の側面と流体連通する、請求項７または８に記載のフィルタエレメント。
【請求項１０】
前記第３の開口が、前記第２のエンドキャップに配置されるとともに、前記第２の液体流路を介して前記熱交換器の前記第２の側面と流体連通する、請求項７〜９のいずれか一項に記載のフィルタエレメント。
【請求項１１】
前記熱交換器の前記第１および第２の側面の各々が、前記フィルタ構造体の前記第１の端部と前記第２の端部との間を前記熱交換器に沿って延びる複数の流れチャネルを含み、前記熱交換器の前記第１の側面上の前記流れチャネルが、前記第１のフィルタの前記外周に隣接して延び、かつ前記熱交換器の前記第２の側面上の前記流れチャネルが前記第２のフィルタの前記内周に隣接して延びる、請求項７〜１０のいずれか一項に記載のフィルタエレメント。
【請求項１２】
前記熱交換器が、不透過性で無孔の略円筒状本体を有し、前記熱交換器の前記第１および第２の側面が、前記円筒状本体の前記内側および前記外側を含み、前記熱交換器が更に、前記本体の前記内側と前記外側の両方から略径方向に延びる複数の突起を含み、前記本体の前記内側の前記突起が前記第１のフィルタの前記外周に接触しかつ前記本体の前記外側の前記突起が前記第２のフィルタの前記内周に接触する、請求項７〜１１のいずれか一項に記載のフィルタエレメント。
【請求項１３】
前記第１のフィルタおよび前記第２のフィルタの各々が、複数のプリーツを含む、請求項７〜１２のいずれか一項に記載のフィルタエレメント。
【請求項１４】
第１および第２の液体を濾過する方法であって、
前記第１の液体から１つまたは複数の物質を除去するために、透過性フィルタメディアを含む第１の中空略円筒状フィルタに前記第１の液体を通過させることを含み、前記第１のフィルタおよび当該第１のフィルタと同軸上に配置される第２の中空略円筒状フィルタの間に同軸状に配置された熱伝導性熱交換器の内側側面に沿って前記第１の液体を通過させることを更に含む、ハウジング内の第１の流路に沿って第１の液体を導くステップと、
透過性フィルタメディアを含む前記第２のフィルタに第２の液体を通過させ、前記第２の液体から１つまたは複数の物質を除去することを含み、前記熱交換器の外側側面に沿って前記第２の液体を通過させることを更に含む、前記ハウジング内の第２の流路に沿って前記第２の液体を導くステップと、
前記熱交換器を通して前記第１の液体と前記第２の液体との間で熱を伝達するステップと、
を含む、方法。
【請求項１５】
前記第１の流路に沿って前記第１の液体を導くステップおよび前記第２の流路に沿って前記第２の液体を導くステップの一方が、前記それぞれの流路に沿ってエンジン燃料を導くことを含み、
前記第１の流路に沿って前記第１の液体を導くステップおよび前記第２の流路に沿って前記第２の液体を導くステップの他方が、前記それぞれの流路に沿ってエンジン潤滑油を導くことを含む、請求項１４に記載の方法。
【請求項１６】
前記第１のフィルタに前記第１の液体を通過させることおよび前記熱交換器の前記内側側面に沿って前記第１の液体を通過させることが、前記熱交換器の前記内側側面に沿って前記第１の液体を通過させる前に前記第１のフィルタに前記第１の液体を通過させることを含む、請求項１４または１５に記載の方法。
【請求項１７】
前記第２のフィルタに前記第２の液体を通過させることおよび前記熱交換器の前記外側側面に沿って前記第２の液体を通過させることが、前記熱交換器の前記外側側面に沿って前記第２の液体を通過させる前に前記第２のフィルタに前記第２の液体を通過させることを含む、請求項１４〜１６のいずれか一項に記載の方法。
【請求項１８】
前記第１のフィルタに前記第１の液体を通過させることおよび前記熱交換器の前記内側側面に沿って前記第１の液体を通過させることが、前記第１のフィルタに前記第１の液体を第１の方向に略径方向に通過させることと、前記熱交換器の前記内側側面に沿って前記第１の液体を略軸方向に通過させることとを含み、
前記第２のフィルタに前記第２の液体を通過させることおよび前記熱交換器の前記外側側面に沿って前記第２の液体を通過させることが、前記第２のフィルタに前記第２の液体を前記第１の方向と反対の第２の方向に略径方向に通過させることと、前記熱交換器の前記外側側面に沿って前記第２の液体を略軸方向に通過させることとを含む、請求項１４〜１７のいずれか一項に記載の方法。
【請求項１９】
前記熱交換器の前記内側側面に沿って前記第１の液体を通過させることが、前記熱交換器の前記内側側面上の突起に沿って前記第１の液体を通過させることを含み、
前記熱交換器の前記外側側面に沿って前記第２の液体を通過させることが、前記熱交換器の前記外側側面上の突起に沿って前記第２の液体を通過させることを含む、請求項１４〜１８のいずれか一項に記載の方法。
【発明の詳細な説明】
【発明の開示】
【０００１】
[0001]本発明は、フィルタアセンブリ、フィルタエレメント、および液体の濾過方法に関する。本発明を具現化したフィルタアセンブリは、ハウジング、ならびにこの単一のハウジング内に配置された第１のフィルタ、第２のフィルタ、および熱伝導性熱交換器を含むものとすることができる。各フィルタは透過性フィルタメディアを含み、このフィルタメディアを通って流れる未濾過液体から多種多様な望ましくない物質が除去される。フィルタアセンブリのハウジングはまた、第１の入口から第１の出口にハウジング内を延びる第１の液体流路を画定することができる。第１の液体流路は、第１のフィルタを通過し、かつ熱交換器の第１の側面に沿って延びている。ハウジングは更に、第２の入口から第２の出口にハウジング内を延びる第２の液体流路を画定することができる。第２の液体流路はまた、第２のフィルタを通過し、かつ熱交換器の第２の側面に沿って延びる。
【０００２】
[0002]本発明を具現化したフィルタエレメントは、フィルタアセンブリのハウジング内に取り外し可能に装着することができ、第１のフィルタと、第２のフィルタと、熱交換器とを有するフィルタ構造体を含むものとすることができる。各フィルタは、透過性フィルタメディアおよび中空の略円筒形状を有することができる。中空の第１のフィルタは、中空の第２のフィルタ内に配置されることができ、熱交換器は、第１のフィルタと第２のフィルタとの間の環状空間内に配置されることができる。フィルタ構造体は、互いに対向する第１および第２の端部を有することができ、第１および第２のエンドキャップをフィルタ構造体の第１および第２の端部に装着することができる。第１および第２のエンドキャップは、それらエンドキャップ間に第１の開口、第２の開口、および第３の開口を含むことができる。第１の液体流路は、第１の開口と第２の開口との間でフィルタエレメント内を延び、第１のフィルタのフィルタメディアを通過し、かつ熱交換器の第１の側面に沿って延びることができる。第２の液体流路は、第２のフィルタの外周と第３の開口との間でフィルタエレメント内を延びることができ、第２のフィルタのフィルタメディアを通過し、かつ熱交換器の第２の側面に沿って延びる。
【０００３】
[0003]本発明を具現化した方法は、ハウジング内の第１の流路に沿って第１の液体を導くステップと、ハウジング内の第２の流路に沿って第２の液体を導くステップとを含むことができる。第１の流路に沿って第１の液体を導くステップは、（１）第１の液体から１つまたは複数の物質を除去するためにハウジング内の第１の透過性フィルタメディアに第１の液体を通過させることと、（２）ハウジング内の熱伝導性熱交換器の第１の側面に沿って第１の液体を通過させることとを含むことができる。第２の流路に沿って第２の液体を導くステップは、（１）第２の液体から１つまたは複数の物質を除去するためにハウジング内の第２の透過性フィルタメディアに第２の液体を通過させることと、（２）熱交換器の第２の側面に沿って第２の液体を通過させることとを含むことができる。本発明を具現化した方法は更に、熱交換器を通して第１の液体と第２の液体との間で熱を伝達するステップを含むことができる。
【０００４】
[0004]本発明を具現化したフィルタアセンブリ、フィルタエレメント、および方法は、多くの重要な利点をもたらす。例えば、第１および第２の液体を濾過する第１および第２のフィルタを設けることにより、望ましくない物質が両液体から十分に除去され、両液体を実質的に汚染物質の存在しない状態にする。更に、熱交換器の第１の側面に沿って第１の液体を通過させ、熱交換器の第２の側面に沿って第２の液体を通過させることにより、熱伝導性熱交換器を通して２つの液体間で熱を伝達することができ、それにより、一方の液体を冷却しかつ他方の液体を加温することができる。加えて、これらの機能の全て、すなわち、第１の液体の濾過、第２の液体の濾過、および２つの液体間の熱交換は、単一のハウジング内で実現される。第１のフィルタ、第２のフィルタ、および熱交換器のための２つまたは３つの別個のハウジングよりもむしろ、これら構成要素のための単一のハウジングを有することにより、非常にコンパクトな、空間効率の高い設計が得られる。
【０００５】
[0005]本発明のこれらの利点は、多くの用途において極めて重要である可能性がある。例えば、ジェットエンジン内では、エンジン燃料が、特に高高度では非常に低温であることがあり、また、エンジン燃料中の水分が凍結して、エンジンへの燃料の流れを乱し得る氷粒子を形成する場合がある。一方、エンジン内を循環する潤滑油は通常、非常に暖かい。本発明を具現化したフィルタアセンブリに、エンジン燃料（例えば、第１の液体）および潤滑油（例えば、第２の液体）を通過させることにより、熱交換器を通して潤滑油からエンジン燃料に熱を伝達することができ、エンジン燃料を加温して氷粒子の形成を防止することができる。同時に、エンジン燃料および潤滑油を第１および第２のフィルタにより濾過することができ、実質的に汚染物質の存在しない濾過された潤滑油および濾過されたエンジン燃料を提供することができる。これらの全ては、僅かな空間しか利用できないジェットエンジンの狭い、込み入った領域における単一のコンパクトなハウジング内で起こる。
【図面の簡単な説明】
【０００６】
【図１】図１は、本発明を具現化したフィルタアセンブリの断面図である。
【図２】図２は、図１のフィルタアセンブリのフィルタ構造体の斜視図である。
【図３】図３は、図１のフィルタアセンブリの熱交換器の斜視図である。
【図４】図４は、第２のエンドキャップを示す図１のフィルタエレメントの端面図である。
【図５】図５は、本発明を具現化した別のフィルタアセンブリの断面図である。
【図６】図６は、図５のフィルタアセンブリの熱交換器の斜視図である。
【発明を実施するための形態】
【０００７】
[0012]本発明を具現化したフィルタアセンブリを多種多様な方法で構成することができる。本発明を具現化したフィルタアセンブリ１０の多くの異なる例のうちの１つを図１に示す。一般に、フィルタアセンブリ１０は、長手方向中心軸線Ａ、ハウジング１１、ならびに、ハウジング１１内に配置された第１のフィルタ１２、第２のフィルタ１３、および熱交換器１４を備えることができる。ハウジング１１は、第１の入口１５と第１の出口１６とを含むことができ、第１のフィルタ１２を通ってかつ熱交換器１４の第１の側面１５に沿って延びる第１の液体流路をハウジング１１内に画定することができる。ハウジング１１はまた、第２の入口２０と第２の出口２１とを含むことができ、第２のフィルタ１３を通ってかつ熱交換器１４の第２の側面１５に沿って延びる第２の液体流路をハウジング１１内に画定することができる。第１の液体を第１の液体流路に沿って導くことができ、その一方で、第２の液体を第２の液体流路に沿って導くことができ、第１および第２の液体流路がハウジング１１内で互いに隔てられる。液体がそれぞれのフィルタを通って流れる際に、フィルタ１１、１２により各液体から１つまたは複数の望ましくない物質を除去することができ、液体を実質的に汚染物質の存在しない状態にし、かつ熱交換器を通して液体間で熱を伝達することができ、全て単一のハウジング１１内において、一方の液体を冷却しかつ他方の液体を加温することができる。
【０００８】
[0013]ハウジング１１は、数多くの方法のいずれかで構成することができ、様々な形状（規則的および不規則の両方）を有することができる。ハウジングは、動作温度および動作圧力を含む動作パラメータに耐えることができる、ポリマー材料、およびステンレス鋼などの金属材料を含む任意の数の不透過性材料で形成することができる。一部の実施形態について、フィルタアセンブリは、使い捨てフィルタアセンブリとすることができ、ハウジングを永久的に閉鎖して、第１のフィルタ、第２のフィルタ、および熱交換器をハウジング内に取り外し不能に収容することができる。フィルタが交換を必要とするほど汚れた時点で、フィルタアセンブリ全体を取り外すことができ、新しいフィルタアセンブリを設置することができる。
【０００９】
[0014]多くの実施形態について、ハウジングは、再使用可能とすることができ、様々な方法のいずれかで互いに取り外し可能に取り付けできる少なくとも２つのセクションで形成することができる。例えば、ハウジングを形成するために、セクションを互いにクランプするかまたは互いに螺合することができる。第１のフィルタ、第２のフィルタ、および／もしくは熱交換器をハウジング内の種々の位置に、全て１つのセクションに、または第１のフィルタ、第２のフィルタ、および熱交換器のうちの１つまたは複数を１つのセクションに、残りを他のセクション（複数可）に配置することができる。フィルタが交換を必要とするほど汚れた時点で、セクションを互いに分離することができ、汚れたフィルタ（複数可）をハウジングから取り外すことができ、清浄なまたは新しいフィルタ（複数可）をハウジング内に設置することができ、セクションを再び互いに取り付けることができる。
【００１０】
[0015]ハウジングの取り外し可能に取り付けられるセクションは、例えば、容器の端部に取り外し可能に取り付けられるカバーまたは互いにクランプされる少なくとも２つの部分で形成された容器を含み、様々な方法で構成することができる。図示の実施形態では、ハウジング１１を、ヘッダ２２および（例えば、封着式ねじ連結により）ヘッダ２２に取り外し可能に取り付けられたボウル２３として構成することができる。例えば、ボウル２３は、閉鎖端部とねじ付き開口端部とを含む略円筒形状を有することができる。ヘッダ２２はねじ付きカラー１８を有することができ、ボウル２３のねじ付き開口端部をヘッダ２２のカラー１８に螺合することができる。ハウジングの第１の入口、第１の出口、第２の入口、および第２の出口を様々な方法でヘッダおよびボウル間に分配配置することができる。例えば、図示の実施形態において、第１の入口１５は、ボウル２３内に配置することができ、その一方で、第１の出口１６、第２の入口２０、および第２の出口２１は、ヘッダ２２に配置することができる。他の実施形態では、入口および出口の全てがヘッダに配置することができる。代替的に、ボウルは、２つ以上の入口または出口を含むことができる。入口および出口をボウルおよび／またはヘッダ内の様々な位置に配置することができるが、図示の実施形態では、第１の入口１５をボウル２３の閉鎖端部の略中央付近に配置することができる。ボウル２３の閉鎖端部は、軸方向外方に突出する継手１９を含むことができ、第１の入口１５は、継手１９を貫通することができる。第１の出口１６をヘッダ２２底部の略中央付近に配置することができ、第２の入口２０および第２の出口２１をヘッダ２２の互いに対向する側面に配置することができる。他の実施形態では、第１の入口と第１の出口および／または第２の入口と第２の出口を異なる位置に配置することができる、例えば、逆にすることができる。
【００１１】
[0016]第１のフィルタ、第２のフィルタ、および熱交換器をハウジング内に様々に装着することができる。例えば、各々を、別々に取り外し可能かつ設置可能な構成要素とすることができ、例えば、各フィルタが汚れた際に各フィルタを別々に交換することが可能となる。しかしながら、多くの実施形態では、少なくとも第１のフィルタおよび第２のフィルタ、または第１のフィルタ、第２のフィルタ、および熱交換器の３つ全ては、ハウジング内に装着できる単一のフィルタエレメントの一体部品とすることができる。第１のフィルタおよび／または第２のフィルタが交換を必要とするほど汚れた際には、例えば、第１のフィルタと、第２のフィルタと、熱交換器とを含むフィルタエレメント全体をハウジングから取り外し、新しいまたは洗浄されたフィルタエレメントと交換することができる。
【００１２】
[0017]本発明を具現化したフィルタアセンブリを多種多様な方法で構成することができる。本発明を具現化したフィルタアセンブリ２４の多くの異なる例のうちの１つを図１に示す。一般に、フィルタエレメント２４は、互いに対向する端部を有するフィルタ構造体２５と、フィルタ構造体２５の端部に取り付けられた第１および第２のエンドキャップ２６、２７とを備えることができる。図２に示すように、フィルタ構造体２５は、第１のフィルタ１２（例えば、内側フィルタ）と、第２のフィルタ１３（例えば、外側フィルタ）と、第１のフィルタ１２と第２のフィルタ１３との間に配置された熱伝導性熱交換器１４とを含むことができる。
【００１３】
[0018]各フィルタを様々に構成することができる。例えば、第１のフィルタ１２と第２のフィルタ１３の両方は、略円筒形状を有することができ、第１および第２の軸方向端部と、内周および外周と、各フィルタ１２、１３の軸方向長さにわたって広がり得る中空内部とを含む。各円筒状フィルタは、円形断面を含む、数多くの多角形断面のいずれかを有することができる。第１のフィルタ１２を、例えば、第２のフィルタ１３内に同軸状に配置することができ、第１のフィルタ１２は、その外周の外径が第２のフィルタ１３の内周の内径よりも小さく、第１のフィルタ１２と第２のフィルタ１３との間に空間（例えば、環状空間）を画定することができる。
【００１４】
[0019]フィルタの一方または両方は、プリーツ状または非プリーツ状とすることができる。非プリーツフィルタを、例えば、中空円筒状の繊維塊、または中空円筒構造を形成するためにスパイラル状もしくは螺旋状に巻かれた透過性シート、透過性膜もしくは透過性ストリップを含め、様々に構成することができる。プリーツフィルタも様々に構成することができる。例えば、第１のフィルタ１２と第２のフィルタ１３の両方は、フィルタ１２、１３の互いに対向する端部間に略軸方向に延びる複数のプリーツを含むことができる。プリーツは、フィルタ１２、１３の外周付近における山と、フィルタ１２、１３の内周付近における谷と、各山と各谷との間に延びる１対のプリーツ脚部とを含むことができる。各フィルタは、様々なプリーツ状とすることができる。例えば、フィルタの一方または両方は、各プリーツの高さが山と谷との間の径方向距離に実質的に等しい扇型プリーツを有することができる。代替的に、フィルタの一方または両方は、各プリーツの高さが山と谷との間の径方向距離よりも大きいレイドオーバー型プリーツを有することができる。レイドオーバー型プリーツおよび扇型プリーツならびにフィルタエレメントの他の態様を更に補足するために、米国特許第５，５４３，０４７号明細書および米国特許５，２５２，２０７号明細書が参照により組み込まれる。
【００１５】
[0020]プリーツの種類にかかわらず、第１のフィルタ１２および第２のフィルタ１３のプリーツ高さは、互いにほぼ等しい高さとすることができ、または互いに異なる高さとする（例えば、第１のフィルタ１２のプリーツの高さは、第２のフィルタ１３のプリーツの高さよりも大きいまたは小さい高さとする）ことができる。多くの実施形態について、第１のフィルタの高さに対する第２フィルタの高さの比は、例えば、濾過される液体の性質よって異なり得る。例えば、粘性液体を、第１のフィルタの高さに対する第２のフィルタの高さの比が約１：０．７５〜１：１．２５の範囲であり得るより短いプリーツ高さで濾過することができる。しかしながら、低粘性液体については、約１：１〜約２：１の範囲の比が有用であり得る。
【００１６】
[0021]各フィルタは、プリーツ状であれ非プリーツ状であれ、フィルタメディアを通って流れる液体から１つまたは複数の物質を除去できるフィルタメディアを含む。フィルタは、フィルタメディアを含む単層で、または少なくとも１層がフィルタメディアを含む２つ以上の層の複合体で形成することができる。例えば、フィルタメディアの層を２つの排水層の間に挟むことができる。フィルタメディアは、数多くの材料のいずれかで様々な形態に形成することができる。例えば、フィルタメディアは、透過性織布繊維シートもしくは透過性不織布繊維シート、透過性支持膜もしくは透過性非支持膜、または透過性繊維塊の形態とすることができ、かつ、焼結金属粒子もしくは焼結金属繊維、ガラス繊維、または、ポリマー繊維もしくは透過性ポリマーシートを含む、天然ポリマーもしくは合成ポリマーで形成することができる。フィルタメディアは、透過性とすることができ（つまり、多孔質、半透過性、または選択透過性とすることができ）、かつ一定のまたは段階的な細孔構造を有することができる。更に、フィルタメディアは、無数の濾過特性のいずれかを有することができ、または有するように修正することができる。例えば、フィルタメディアは、液体から固体、ゲル、コロイド粒子などの粒子を除去するために、例えば、超多孔質もしくはナノ多孔質またはより微細なものからマイクロ多孔質またはより粗いものまで、広範な分画分子量または除去等級のいずれかを有することができる。代替的にまたは追加的に、フィルタメディアは、正もしくは負の電荷または極性を有することができ、疎水性もしくは親水性または疎油性もしくは親油性を含む、疎液性または親液性とすることができ、および／または液体から１つもしくは複数の化学物質を除去するために、リガンドまたは他の何らかの反応性部分などの１つまたは複数の付着官能基を有することができる。全ての実施形態ではないが、多くの実施形態については、両フィルタのフィルタメディアは、同様の濾過特性を有することができる。
【００１７】
[0022]各フィルタは更に、様々な他の構成要素を含むことができる。例えば、フィルタのいずれかまたは両方は、プリーツの山の周りに外側リテーナを含むことができる。リテーナを、例えば、有孔ケージとしてまたはフィルタの外周の周り（例えば、プリーツの山の周り）に周方向にまたは螺旋状に巻かれた透過性もしくは不透過性ストリップとして様々に構築することができる。リテーナは、例えば、フィルタを内側から外側に通過する液体の流れに付随する力に対してプリーツを支持することができ、および／またはフィルタをより均一に目詰まりさせるように、プリーツを適所に保持することができる。更に、フィルタのいずれかまたは両方は、フィルタの内周（例えば、プリーツの谷）の周りに有孔コアを含むことができる。有孔コアは、例えば、フィルタを外側から内側に通過する液体の流れに付随する力に対してプリーツを支持することができ、および／またはプリーツを適所に保持するのを助けることもできる。
【００１８】
[0023]熱交換器を第１のフィルタと第２のフィルタとの間に配置することができ、第１および第２のフィルタが互いに分離される。例えば、熱交換器１４を第１のフィルタ１２と第２のフィルタ１３との間の環状空間内に同軸状に配置することができる。熱交換器１４は、第１の側面３０、例えば、内側面と、第２の側面３１、例えば、外側面とを有することができ、熱交換器１４の第１の側面３０と第２の側面３１に沿って流れる第１の液体と第２の液体との間で熱を伝達する役割を果たすことができる。熱交換器１４はまた、第１のフィルタ１２を内側から外側に通過する液体の流れおよび／または第２のフィルタ１３を外側から内側に通過する液体の流れに付随する力に対して第１のフィルタ１２と第２のフィルタ１３を支持する役割を果たすことができる。追加的に、熱交換器１４は、濾過された流体を第１のフィルタ１２の外周および／または第２のフィルタ１３の内周から離れるように導き、ならびに濾過されてない流体を第１のフィルタ１２の外周および／または第２のフィルタ１３の内周に向けて導く役割を果たすことができる。
【００１９】
[0024]熱交換器を様々に構成することができる。例えば、熱交換器は、第１の（例えば、内）側面と、第２の（例えば、外）側面とを有する略円筒状本体を備えることができる。一部の実施形態について、円筒状本体は、円筒状本体の周りに周方向に配列された一連の起伏部を画定することができ、起伏部は、円筒状本体の一方の端部から他方の端部に、互いに平行に真っ直ぐまたは螺旋状に延在することができ、本体の両側面上の起伏部に沿って流れチャネルを画定することができる。第１のフィルタの外周は、起伏部の内側リッジに接触できるとともに、この内側リッジで支持することができ、第２のフィルタの内周は、起伏部の外側リッジに接触できるとともに、この外側リッジで支持することができる。
【００２０】
[0025]他の実施形態では、熱交換器は、第１の側面および第２の側面（例えば、内側面および外側面）と、円筒状本体の第１の側面から略径方向内方に延びかつ第２の側面から略径方向外方に延びる複数の突起とを有する円筒状本体を備えることができる。突起を数多くの方法のいずれかで構成することができる。例えば、突起は、短い直線状リブ、短い傾斜リブまたは短い湾曲リブの配列を含むことができ、これらリブは円筒状本体から内側面上を略径方向内方にかつ外側面上を略径方向外方に延びることができる。各傾斜リブまたは各湾曲リブは、様々な形状（例えば、Ｖ字形状または１／４円形状または半円形状）のいずれかを有することができる。第１のフィルタの外周は、内側リブの内縁部に接触できるとともに、この内縁部で支持することができ、第２のフィルタの内周は、外側リブの外縁部に接触できるとともに、この外縁部で支持することができる。代替的に、図１および図３に示すように、複数の突起３３は、円筒状本体３２の第１の側面３０から略径方向内方にかつ円筒状本体３２の第２の側面３０から略径方向外方に延びる連続したまたは不連続の細長いリブの配列を含むことができる。各側面３０、３１上の細長いリブ３３は、軸方向に互いに平行に真っ直ぐまたは螺旋状に延在することができ、本体３２の両側面上の隣り合うリブ３３間に流れチャネルを画定することができる。第１の側面３０上のリブ３３の内縁部は、第１のフィルタ１２の外周に接触してこれを支持することができ、第２の側面３１上のリブ３３の外縁部は、第２のフィルタ１３の内周に接触してこれを支持することができる。突起の数、突起の高さ、および突起間の間隔は、例えば、熱交換器を通しての熱伝達を向上させ、第１および第２のフィルタの支持を向上させ、および／または熱交換器の側面に沿った液体の流れに対する抵抗を低減するために変更することができる。
【００２１】
[0026]形状にかかわらず、熱交換器は、熱交換器の第１の側面と第２の側面との間で熱を伝達するのに適した熱伝導率を有する金属（例えば、アルミニウム）または任意の他の材料を含む様々な材料で形成することができる。更に、熱交換器は、不透過性でかつ無孔とすることができ、熱交換器の第１の側面上の第１の液体流路および何らかの液体と熱交換器の第２の側面上の第２の液体流路および何らかの液体とを隔てることができる。
【００２２】
[0027]エンドキャップは、フィルタエレメントを通るように液体を導く役割を果たすことができ、各エンドキャップを数多くの方法のいずれかで構成することができる。例えば、図１および図２に図示する実施形態において、各エンドキャップ２６、２７は、フィルタ構造体２５の端部（例えば、第１のフィルタ１２、熱交換器１４、および第２のフィルタ１３の３つ全ての対応する端部）に取り付けられた単一ピースとすることができる。代替的に、エンドキャップの一方または両方は、マルチピース構造を有することができる。
【００２３】
[0028]全体として、第１のエンドキャップ２６および第２のエンドキャップ２７は、少なくとも第１の開口３４、第２の開口３５、および第３の開口３６を含むことができ、第１の開口３４、第２の開口３５、および第３の開口３６を、様々な方法で第１のエンドキャップ２６および第２のエンドキャップ２７間に分散配置することができる。一部の実施形態について、３つの開口は全て、いずれかのエンドキャップに配置することができる。他の実施形態では、開口のうちの２つは一方のエンドキャップに配置することができ、１つの開口は他方のエンドキャップに配置することができる。図示の実施形態において、第１の開口３４は、第１のエンドキャップ２６に配置することができる。第１のエンドキャップ２６は、軸方向外方に突出する継手３７を含むことができ、第１の開口３４は、第１のエンドキャップ２６の一方側から他方側に継手３７を貫通することができる。第１の開口３４は、第１のエンドキャップ２６の継手３７を通して第１のフィルタ１２の内部と流体連通することができる。第１のエンドキャップ２６の環状領域４０は、継手３７から径方向外縁部に延びることができ、第１のフィルタ１２、熱交換器１４、および第２のフィルタ１３の各々の対応する端部に取り付けられて封着する端部片としての役割を果たすことができる。軸方向に突出する外側リップ４１は、第２のフィルタ１３の外周の一部に接触し、第２のフィルタ１３、熱交換器１４、および第１のフィルタ１２の相対的な同軸状の位置を保持する役割を果たすことができる。
【００２４】
[0029]第２のエンドキャップ２７は、第１のフィルタ１２の反対側端部に取り付けられて、第１のフィルタ１２の内部を含む上記端部に封着するブラインド端部片としての役割を果たし得る中央領域４２を含むことができる。図４に示すように、第２および第３の開口３５、３６は、第２のエンドキャップ２７の中央領域４２を取り囲むことができ、かつ、これら開口３５、３６を互いに径方向にずらして配置される（例えば、第２の開口３５が、第３の開口３６と中央領域４２との間に第３の開口３６の径方向内側に配置される）ことができる。第２および第３の開口を様々に構成することができる。例えば、図示の実施形態において、各第２および第３の開口３５、３６は、略環状とすることができ、隣り合う孔の間にリブが径方向に延びる孔の円形配列を備えることができる。第２の開口３５は、第２のエンドキャップ２７を貫通することができ、熱交換器１４の第１の側面３０と流体連通することができる。同様に、第３の開口３６は、第２のエンドキャップ２７を貫通することができ、熱交換器１４の第２の側面３１と流体連通することができる。円形スリーブ４３は、熱交換器１４から離れるように第２のエンドキャップ２７から軸方向に延びることができ、円形スリーブ４３を第２の開口３５と第３の開口３６との間で第２のエンドキャップ２７に径方向に連結することができ、それにより、第２の開口３６と第３の開口３６を分離することができる。また、円形カラー４４は、熱交換器１４から離れるように第２のエンドキャップ２７から軸方向に延びることができるが、円形カラー４４を、第３の開口３６の径方向外側で第２のエンドキャップ２７に連結することができる。円形カラー４４を、円形スリーブ４３と同軸状とするが、円形スリーブ４３から径方向に間隔を置いて配置することができる。第２のエンドキャップ２７の外側環状領域４７は、第２のフィルタ１３の対応する端部に取り付けられて封着する端部片としての役割を果たすことができる。軸方向に突出する外側リップ４６は、第２のフィルタ１３の外周の一部に接触し、第２のフィルタ１３、熱交換器１４、および第１のフィルタ１２の相対的な同軸状の位置を保持する役割を果たすことができる。
【００２５】
[0030]フィルタエレメント２４を数多くの方法のいずれかで組み立てることができる。例えば、熱交換器１４を第１のフィルタ１２の外周に沿って軸方向に移動させるか、または第１のフィルタ１２を熱交換器１４の内部に軸方向に挿入することにより、フィルタ構造体２４を形成することができる。次いで、第１のフィルタ１２を、熱交換器１４の第１の側面３０（例えば、内側突起３３）が第１のフィルタ１２の外周に接触した状態で熱交換器１４内に入れ子式に配置することができる。多くの実施形態について、第１のフィルタ１２は、プリーツ状とすることができ、外側リテーナを有さなくてもよい。それから、熱交換器１４（例えば、内側突起３３）は、第１のフィルタ１２のプリーツの山に接触することができ、外側リテーナの使用なしに、プリーツを支持しかつプリーツを適所に保持する。このことにより、フィルタエレメントに付随する材料の量を低減することによって、フィルタエレメントを軽量化し、フィルタエレメントの環境への影響を軽減する。
【００２６】
[0031]それから、第２のフィルタ１３を熱交換器１４の外周に沿って軸方向に移動させることができ、または入れ子式に配置された熱交換器１４および第１のフィルタ１２を第２のフィルタ１３の内部に軸方向に挿入することができる。次いで、熱交換器１４および第１のフィルタ１２を、熱交換器１４の第２の側面３１（例えば、外側突起３３）が第２のフィルタ１３の内周に接触した状態で第２のフィルタ１３内に入れ子式に配置することができる。多くの実施形態について、第２のフィルタ１３は、プリーツ状とすることができ、内側有孔コアを含まなくてもよい。それから、熱交換器１４（例えば、外側突起３３）は、第２のフィルタ１３のプリーツの谷に接触することができ、有孔コアの使用なしに、プリーツを支持しかつプリーツを適所に保持する。また、このことにより、フィルタエレメントに付随する材料の量を低減することによって、フィルタエレメントを軽量化し、フィルタエレメントの環境への影響を軽減する。
【００２７】
[0032]代替的に、まず第２のフィルタ１３を第１の熱交換器１４に外嵌し、次いで第１のフィルタ１２を熱交換器１４に内嵌することにより、フィルタ構造体２５を形成することができる。全ての実施形態ではないが、多くの実施形態については、フィルタ構造体２５の略平坦状の軸方向端部を提供するために、フィルタ構造体２５を、第１のフィルタ１２、熱交換器１４、および第２のフィルタ１３の対応する端部を径方向に互いに整列させた状態で形成することができる。
【００２８】
[0033]それから、第１のフィルタ１２、熱交換器１４、および第２のフィルタ１３を含む、フィルタ構造体２５の軸方向端部にエンドキャップ２６、２７を様々な方法で取り付けて封着することができる。例えば、エンドキャップ２６、２７にエポキシ樹脂、ポリウレタン、または他の接着剤などの注封材料（ｐｏｔｔｉｎｇ  ｃｏｍｐｏｕｎｄ）を充填することができ、かつフィルタ構造体２５の軸方向端部を注封材料中に固定することができ、それにより、フィルタ構造体２５の軸方向端部をエンドキャップ２６、２７に接着することができる。代替的に、エンドキャップ２６、２７を、フィルタ構造体２５の軸方向端部に溶剤接着または熱接着することができる。例えば、エンドキャップ２６、２７がポリマー材料で形成される場合には、フィルタ構造体２５の軸方向端部に面する各エンドキャップ２６、２７の部分を溶融させることができ、かつ第１のフィルタ構造体２５の軸方向端部をエンドキャップ２６、２７の溶融ポリマー中に固定することができ、それにより、フィルタ構造体２５の軸方向端部をエンドキャップ２６、２７に熱接着することができる。エンドキャップ２６、２７がフィルタ構造体２５に取り付けられた時点で、フィルタエレメント２４が形成され、フィルタアセンブリ１０のハウジング１１に装着可能な状態となる。
【００２９】
[0034]フィルタエレメントを、例えば、フィルタエレメントおよびハウジングの形状に応じて、数多くの方法のいずれかでハウジングに装着することができる。例えば、図示の実施形態では、まずフィルタエレメント２４をヘッダ２２に装着することにより、フィルタエレメント２４をハウジング１１に装着することができる。ヘッダは、フィルタエレメントを受けるように様々に構成することができる。
【００３０】
[0035]例えば、ヘッダ２２は、フィルタエレメント２４を受ける基部５０を有することができる。基部５０は、円形外壁５２と円形内壁５３との間に画定された第１の略環状チャネル５１を有することができる。第２のエンドキャップ２７の円形スリーブ４３および円形カラー４４を基部５０の環状チャネル５１に挿入することにより、フィルタエレメント２４をヘッダ２２に装着することができる。外壁５２は、円形カラー４４の外周に近接する内周シール領域を含むことができる。シール（例えば、Ｏリングシール）により、ヘッダ２２の基部５０の外壁５２を第２のエンドキャップ２７の円形カラー４４に封着することができる。内壁５３は、円形スリーブ４３の内周に近接する外周シール領域を含むことができる。この場合もやはり、シール（例えば、Ｏリングシール）により、ヘッダ２２の基部５０の内壁５３を第２のエンドキャップ２７の円形スリーブ４３に封着することができる。それから、環状チャネル５１は、円形スリーブ４３と円形カラー４４との間の空間を介して、第２のエンドキャップ２７の第３の開口３６とハウジングの第２の出口２１との間を流体連通することができる。基部５０の内壁５３はまた、外周封着領域の径方向内側に中央チャネル５５（例えば、テーパ状のチャネル）を含むことができる。中央チャネル５５は、基部５０の内壁５３が第２のエンドキャップ２７の円形スリーブ４３に封着された状態で、第２のエンドキャップ２７の第２の開口３５とハウジング１１の第１の出口１６との間を流体連通することができる。更に、ヘッダ２２の外側カラー１８は、基部５０から軸方向に延びることができ、例えば、第２のエンドキャップ２７を取り囲んで外側カラー１８と第２のフィルタ１３の外周との間に環状空間を形成することができる。基部５０は、外側カラー１８と第２のエンドキャップ２７の外周との間の環状空間とハウジング１１の第２の入口２０との間に延びる第３のチャネル５６を含むことができる。第３のチャネル５６は、基部５０の外壁５２が第２のエンドキャップ２７の円形カラー４４に封着された状態で、ハウジング１１の第２の入口２０と第２のフィルタ１３の外周との間を流体連通することができる。
【００３１】
[0036]フィルタエレメント２４がヘッダ２２に装着された時点で、ボウル２３をフィルタエレメント２４の周りのヘッダ２２に装着することができる。例えば、第１のエンドキャップ２６上の継手３７がボウル２３の閉鎖端部上の継手１９に受け入れられ、かつボウル２３の開口端部がヘッダ２２の外側カラー１８に接触するまで、ボウル２３をフィルタエレメント２４に沿って軸方向に移動させることができる。次いで、ボウル２３の開口端部をヘッダ２２の外側カラー１８に完全に螺合させることができ、第１エンドキャップ２６上の継手３２がボウル２３上の継手１９に嵌め込まれる。シール（例えば、Ｏリングシール）により、継手３７、１９を互いに封着することができ、ボウル２３をヘッダ２２に封着することができる。その後、フィルタエレメント２４がハウジング１１内に設置され、フィルタアセンブリ１０が使用可能な状態となる。
【００３２】
[0037]本発明を具現化した方法に従って、多数の方法で液体を濾過することができる。例えば、第１および第２の液体の濾過方法は、ハウジング内の第１の流路に沿って第１の液体を導くステップと、ハウジング内の第２の流路に沿って第２の液体を導くステップとを含むことができる。第１液体が第１の流路に沿って移動する際に、第１の液体から１つまたは複数の物質を除去するために、第１の液体が、ハウジング内の第１の透過性フィルタメディアを通過し、かつハウジング内の熱伝導性熱交換器の第１の側面に沿って進む。第２液体が第２の流路に沿って移動する際に、第２の液体から１つまたは複数の物質を除去するために、第２の液体が、ハウジング内の第２の透過性フィルタメディアを通過し、かつ熱交換器の第２の側面に沿って進む。熱交換器は、熱交換器の第１の側面上の第１の液体と熱交換器の第２の側面上の第２の液体とを隔てる。第１および第２の液体が熱交換器の第１および第２の側面に沿って進む際に、第１の液体と第２の液体との間で熱を伝達することができ、一方の液体を冷却しかつ他方の液体を加温する。
【００３３】
[0038]本発明を具現化する方法の多くの異なる例では、第１の液体（例えば、ジェットエンジン燃料）を図１のフィルタアセンブリ１０の第１の流路に沿って導くことができる。第１の液体は、フィルタアセンブリ１０とフィルタエレメント２４を通る第１の流路に沿って、全て略軸方向に、ハウジング１１の第１の入口１５からボウル２３の継手１９を通って第１のエンドキャップ２６上の継手３７の第１の開口３４に入り、したがって、第１のフィルタ１２の内部に移動することができる。第１の液体は、第１のフィルタ１２の内部から、第１の流路に沿って、第１のフィルタ１２のフィルタメディアを含む第１のフィルタ１２を略径方向外方に通過して、熱交換器１４の第１の側面３０に進むことができる。第１の液体が第１のフィルタ１２のフィルタメディアを通過する際に、第１の液体から１つまたは複数の物質を除去することができ、第１の液体を実質的に汚染物質の存在しない状態にすることができる。それから、第１の液体は、第１の流路を介して、熱交換器１４の第１の側面３０に沿って（例えば、第１の側面３０上の突起３３に沿って）略軸方向に移動し、第２のエンドキャップ２７の第２の開口３５を通ってフィルタエレメント２４から出て、ヘッダ２２の基部５０の中央チャネル５５内に入り、第１の出口１６を介してフィルタアセンブリ１０から出ることができる。
【００３４】
[0039]第２の液体（例えば、ジェットエンジン潤滑油）をフィルタアセンブリ１０の第２の流路に沿って導くことができる。第２の液体は、フィルタアセンブリ１０とフィルタ要素２４を通る第２の流路に沿ってハウジング１１の第２の入口２０からヘッダ２２の基部５０の第３のチャネル５６を通って移動し、フィルタエレメント２４とハウジング１１との間（例えば、第２のフィルタ１３の外周とボウル２３との間）の環状空間内に入ることができる。第２の液体は、第２のフィルタ１３の外周から、第２の流路に沿って、第２のフィルタ１３のフィルタメディアを含む第２のフィルタ１３を略径方向内方に通過して、熱交換器１４の第２の側面３１に進むことができる。第２の液体が第２のフィルタ１３のフィルタメディアを通過する際に、第２の液体から１つまたは複数の物質を除去することができ、第２の液体を実質的に汚染物質の存在しない状態にすることができる。それから、第２の液体は、第２の流路を介して、熱交換器１４の第２の側面３１に沿って（例えば、第２の側面３１上の突起３３に沿って）略軸方向に移動し、第２のエンドキャップ２７の第３の開口３６を通ってフィルタエレメント２４から出て、ヘッダ２２の基部５０の環状チャネル５１内に入り、第２の出口２１を介してフィルタアセンブリ１０から出ることができる。
【００３５】
[0040]第１および第２の液体は、熱交換器１４の第１および第２の側面３０、３１に沿って第１および第２の流路を通過し、第１の液体と第２の液体との間で熱を伝達することができる。例えば、熱交換器１４の第２の側面３１における第２の液体（例えばジェットエンジン潤滑油）から熱交換器１４を通して熱交換器１４の第１の側面３０および第１の液体（例えば、ジェットエンジン燃料）に熱を伝達することができ、ジェットエンジン燃料を加温して、ジェットエンジン燃料中で氷粒子が形成されるのを防止することができる。
【００３６】
[0041]本発明の種々の態様をいくつかの実施形態に関して説明および／または図示してきたが、本発明はそれらの実施形態に限定されない。例えば、本発明の範囲から逸脱することなく、任意の実施形態の１つまたは複数の特徴を除去または修正することができ、あるいは一実施形態の１つまたは複数の特徴を他の実施形態の１つまたは複数の特徴と組み合わせることができる。非常に異なる特徴を有する実施形態でさえも、本発明の範囲内であり得る。例えば、熱交換器の第１および第２の側面に沿って第１および第２の液体を通過させる前に、第１および第２の液体の一方または両方を濾過することができる。図示の実施形態では、第１の入口と第１の出口を逆にすることができ、および／または、第２の入口と第２の出口を逆にすることができる。それから、第１の液体および／または第２の液体を濾過する前に、熱交換器の第１および第２の側面に沿って第１および／または第２の液体を通過させることができる。更に、図示の実施形態において、両液体は、熱交換器の第１および第２の側面に沿って同じ方向に軸方向に流れることができる。他の実施形態では、第１の入口と第１の出口または第２の入口と第２の出口のいずれかを逆にすることができる。それから、第１および第２の液体は、熱交換器の第１および第２の側面に沿って逆方向に軸方向に流れることができる。
【００３７】
[0042]フィルタアセンブリ１０の別の実施形態を図５に示す。図５のフィルタアセンブリ１０は、図１のフィルタアセンブリ１０と類似する多くの特徴を有する。例えば、図５のフィルタアセンブリ１０は、ハウジング１１と、ハウジング１１内に配置されたフィルタ構造体２５とを含む。フィルタ構造体２５は、第１の（例えば、内側）フィルタ１２と、第２の（例えば、外側）フィルタ１３と、第１のフィルタ１２と第２のフィルタ１３との間に配置された熱交換器１４とを有する。ハウジング、フィルタ構造体、第１および第２のフィルタ、熱交換器の説明のかなりの部分を含む、図１のフィルタアセンブリの特徴の先の説明のかなりの部分が図５のフィルタアセンブリに当てはまり、両方のフィルタアセンブリの類似の特徴は同じ参照符号で識別される。
【００３８】
[0043]しかしながら、図５のフィルタアセンブリ１０は、使い捨てフィルタアセンブリとすることができ、第１および第２のフィルタ１２、１３ならびに熱交換器１４を永久的にハウジング１１内に装着することができる。更に、エンドキャップがフィルタ構造体２５の閉鎖端部６０に取り付けられていない状態で、第１および第２のフィルタ１２、１３ならびに熱交換器１４を含む、フィルタ構造体２５の一方の端部を、ハウジング１１の上記端部に直接取り付けて封着することができ、ハウジング１１の閉鎖端部６０がフィルタ構造体２５の上記端部に対するブラインド端部片としての役割を果たす。フィルタ構造体を様々な方法のいずれかでハウジングの閉鎖端部に取り付けて封着することができる。図１のフィルタアセンブリ１０のフィルタ構造体２５および第１のエンドキャップ２６に関して先に説明したように、例えば、フィルタ構造体２５をハウジング１１の閉鎖端部６０に取り付けて封着するために、注封材料を使用することができる。代替的に、第１のエンドキャップをフィルタ構造体の端部に取り付けて封着することができ、そして、第１のエンドキャップをハウジングの閉鎖端部に取り付けることができる。
【００３９】
[0044]図５のフィルタアセンブリ１０の第２のエンドキャップは、マルチピースのエンドキャップとすることができる。例えば、第２のエンドキャップは、ハウジング１１の閉鎖端部６０に対向する第１のフィルタ１２の端部に取り付けられた第１の開口端部片２７ａと、ハウジング１１の閉鎖端部６０に対向する第２のフィルタ１３の端部に取り付けられた第２の開口端部片２７ｂとを含むことができる。他の実施形態では、第１および第２の端部片２７ａ、２７ｂを連結することができるが、図示の実施形態では、第１および第２の端部片２７ａ、２７ｂは互いに連結されていない。
【００４０】
[0045]熱交換器１４は、円筒状本体３２の第１の側面３０と第２の側面３１（例えば、内側面と外側面）の両方に突起３３（例えば、連続したまたは不連続の細長いフィン）を含むことができる。しかしながら、図５の熱交換器１４において、突起３３は、一方の端部から反対側端部に螺旋状に延在することができ、熱交換器１４の端部間に延びる突起３３間に螺旋状流れチャネルを画定する。一方の端部では、突起３３と円筒状本体３２とを含む熱交換器１４を、ハウジング１１の閉鎖端部６０に取り付けて封着することができ、上記端部において螺旋状流れチャネルが遮断される。熱交換器１４の他方の端部では、円筒状本体３２が突起３３を越えて延びることができ、熱交換器１４の一方の側面上の流れチャネルと熱交換器１４の他方の側面上の流れチャネルとを上記端部において分離する円形スリーブ４３を形成する。
【００４１】
[0046]ハウジング１１は、一方の端部（例えば、ハウジング１１の開口端部６１）に４つの開口全て（例えば、第１の入口１５、第１の出口１６、第２の入口２０、および第２の出口２１）を含むことができ、第２のエンドキャップは、これらの開口のうちの３つを含むことができる。例えば、第２のエンドキャップの第１の開口端部片２７ａは、第１のフィルタ１２から離れるように軸方向に延びる内側円形カラー６２を含むことができる。第１の入口１５は、第１のフィルタ１２の中空内部と流体連通する内側カラー６２の中央に開口を備えることができる。第１の出口１６は、内側カラー６２の外部と熱交換器１４の円形スリーブ４３との間に略環状開口を備えることができ、環状開口は、熱交換器１４の第１の側面３０（例えば、熱交換器１４の第１の側面３０上の流体チャネル）と流体連通する。第２の開口端部片２７ｂは、第２のフィルタ１３から離れるように軸方向に延びる外側円形カラー４４を含むことができる。第２の出口２１は、外側カラー４４の内部と熱交換器１４の円形スリーブ４３との間に略環状開口を備えることができ、環状開口は、熱交換器１４の第２の側面３１（例えば、熱交換器１４の第２の側面３１上の流体チャネル）と流体連通する。第２の入口２０は、外側端部片２７ｂの外周とハウジング１１の内周との間に外側カラー４４の外部における環状開口を備えることができ、環状開口はハウジング１１の内周と第２のフィルタ１３の外周との間の空間と流体連通する。リブ（図示せず）は、この環状開口を横切って延びることができ、ハウジング１１の開口端部６２においてフィルタ構造体２５適所に保持するために、リブをハウジング１１と外側端部片２７ｂとの間に連結することができる。
【００４２】
[0047]第１および第２の液体の濾過方法は、図５のフィルタアセンブリ１０をシステムマニホールド、例えば、ジェットエンジンにおけるマニホールド（図示せず）に装着することを含むことができる。フィルタアセンブリをいくつかの方法のいずれかでマニホールドに装着することができる。例えば、フィルタアセンブリのハウジングをマニホールドにクランプすることができる。代替的に、開口端部におけるハウジングおよび／または熱交換器のスリーブにねじを付けることができ、フィルタアセンブリをマニホールドに螺合することができる。マニホールドの４つのポートがそれぞれフィルタアセンブリ１０の第１の入口１５、第１の出口１６、第２の入口２０、第２の出口２１と流体連通した状態で、例えば、Ｏリングを介して、ハウジング１１の開口端部６１をマニホールドに嵌合させて封着することができる。
【００４３】
[0048]フィルタアセンブリがマニホールドに装着された状態で、第１の液体を、マニホールドからフィルタアセンブリの第１の入口内に、かつハウジング内の第１の流路に沿って第１の出口に導くことができる。例えば、第１の液体（例えば、ジェットエンジン燃料）を、フィルタアセンブリ１０の長手方向軸線に沿って略軸方向に第１の入口１５内および第１のフィルタ１２の内部に第１の流路を介して導くことができる。第１の液体は、第１のフィルタ１２の内部から、第１の流路に沿って、第１のフィルタ１２のフィルタメディアを含む第１のフィルタ１２を略径方向外方に通過して、熱交換器１４の第１の側面３０に進むことができる。第１の液体がフィルタメディアを通過する際に、第１の液体から１つまたは複数の物質を除去することができ、第１の液体を実質的に汚染物質の存在しない状態にする。第１の液体が第１のフィルタ１２を通って移動する際に、熱交換器１４の第１の側面３０上の螺旋突起が第１のフィルタ１２を支持することができる。それから、第１の液体は、第１の流路を介して、熱交換器１４の第１の側面３０に沿って（例えば、熱交換器１４の第１の側面３０上の螺旋状流れチャネルに沿って）略軸方向に移動し、第１の出口１６を通ってフィルタアセンブリ１０から出て、マニホールドに移動することができる。
【００４４】
[0049]加えて、第２の液体を、マニホールドからフィルタアセンブリの第２の入口内に、かつハウジング内の第２の流路に沿って第２の出口に導くことができる。例えば、第２の液体（例えば、ジェットエンジン潤滑油）を、第２の流路を介して第２の入口２０内およびハウジング１１の内周と第２のフィルタ１３の外周との間の空間内に略軸方向に導くことができる。第２の液体は、第２のフィルタ１３の外周から、第２の流路に沿って、第２のフィルタ１３のフィルタメディアを含む第２のフィルタ１３を略径方向に通過して、熱交換器１４の第２の側面３１に進むことができる。第２の液体がフィルタメディアを通過する際に、第２の液体から１つまたは複数の物質を除去することができ、第２の液体を実質的に汚染物質の存在しない状態にすることができる。第２の液体が第２のフィルタ１３を通って移動する際に、熱交換器１４の第２の側面３１上の螺旋突起３３が第２のフィルタ１３を支持することができる。それから、第２の液体は、第２の流路を介して、熱交換器１４の第２の側面３１に沿って（例えば、熱交換器１４の第２の側面３１上の螺旋状流れチャネルに沿って）略軸方向に移動し、第２の出口２１を通ってフィルタアセンブリ１０から出て、マニホールドに移動することができる。
【００４５】
[0050]第１および第２の液体は、熱交換器１４の第１および第２の側面３０、３１に沿って第１および第２の流路を通過し、第１の液体と第２の液体との間で熱を伝達することができる。例えば、熱交換器１４の第２の側面３１における第２の液体（例えばジェットエンジン潤滑油）から熱交換器１４を通して熱交換器１４の第１の側面３０および第１の液体（例えば、ジェットエンジン燃料）に熱を伝達することができ、ジェットエンジン燃料を加温して、ジェットエンジン燃料中での氷粒子の形成を防止することができる。
【００４６】
[0051]本発明を説明する文脈（特に以下の特許請求の範囲の文脈）における「１つの（ａ）」および「１つの（ａｎ）」および「その（ｔｈｅ）」および「少なくとも１つ（ａｔ  ｌｅａｓｔ  ｏｎｅ）」という用語ならびに同様の指示対象の使用は、本明細書に別段の指示がない限り、または文脈と明らかに矛盾しない限り、単数と複数の両方を包含すると解釈されるものとする。１つまたは複数の物品の列記が続く「少なくとも１つ」という用語（例えば、「ＡおよびＢのうちの少なくとも１つ」）の使用は、本明細書に別段の指示がない限り、または文脈と明らかに矛盾しない限り、列記された物品から選択される１つの物品（ＡもしくはＢ）または列記された物品の２つ以上の任意の組み合わせ（ＡおよびＢ）を意味すると解釈されるものとする。用語「備える（ｃｏｍｐｒｉｓｉｎｇ）」、「有する（ｈａｖｉｎｇ）」、「含む（ｉｎｃｌｕｄｉｎｇ）」、「包含する（ｃｏｎｔａｉｎｉｎｇ）」は、別段の断りのない限り、制限のない用語（すなわち、「含むが、それに限定されない」ことを意味する）と解釈されるものとする。本明細書における値の範囲の列挙は、本明細書に別段の指示がない限り、その範囲内にある各個別の値を個々に参照する簡便な方法として役立つように意図されたものにすぎず、各個別の値は、あたかもそれが本明細書に個々に列挙されているかのように本明細書に組み込まれる。本明細書に記載の全ての方法は、本明細書に別段の指示がない限り、または文脈と明らかに矛盾しない限り、任意の適切な順序で実施することができる。本明細書で提供するあらゆる例または例示的な言い回し（例えば、「など（ｓｕｃｈ  ａｓ）」、「例えば（ｆｏｒ  ｅｘａｍｐｌｅ）」、「例えば（ｅ．ｇ．，）」）は、本発明をより良く明らかにするように意図されたものにすぎず、別段に主張しない限り、本発明の範囲に制限を課すものではない。本明細書中のいかなる言い回しも、請求項に記載されていない要素を、本発明の実施に不可欠であるものとして示すものとは解釈されないものとする。
【００４７】
[0052]本発明を実行するための本発明者らに既知の最良の形態を含む、本発明の好ましい実施形態を本明細書に記載する。それらの好ましい実施形態の変形例は、前述の説明を読めば、当業者に明らかになるであろう。本発明者らは、当業者がそのような変形例を必要に応じて用いることを期待しており、また、本発明者らは、本発明が、本明細書に具体的に記載されているものとは別の方法で実施されることを意図している。よって、本発明は、準拠法によって許可されるように、本明細書に添付された特許請求の範囲に列挙された主題の全ての修正形態および均等物を含む。その上、全ての可能な変形例における上記要素の任意の組み合わせが、本明細書に別段の指示がない限り、または文脈と明らかに矛盾しない限り、本発明に包含される。
【符号の説明】
【００４８】
１０…フィルタアセンブリ、１１…ハウジング、１２…第１のフィルタ、１３…第２のフィルタ、１４…熱交換器、１５…第１の入口、１６…第１の出口、１８…外側カラー、１９…継手、２０…第２の入口、２１…第２の出口、２２…ヘッダ、２３…ボウル、２４…フィルタエレメント、２５…フィルタ構造体、２６…第１のエンドキャップ、２７…第２のエンドキャップ、２７ａ…第１の開口端部片、２７ｂ…第２の開口端部片、３０…第１の側面、３１…第２の側面、３２…円筒状本体、３３…突起、３４…第１の開口、３５…第２の開口、３６…第３の開口、３７…継手、４０…環状領域、４１…軸方向に突出する外側リップ、４２…中央領域、４３…円形スリーブ、４４…円形カラー、４６…軸方向に突出する外側リップ、４７…外側環状領域、５０…基部、５１…第１の略環状チャネル、５２…円形外壁、５３…円形内壁、５５…中央チャネル、５６…第３のチャネル、６０…閉鎖端部、６１…開口端部、６２…内側カラー
【図１】
0006019459.tif 000002
【図２】
0006019459.tif 000003
【図３】
0006019459.tif 000004
【図４】
0006019459.tif 000005
【図５】
0006019459.tif 000006
【図６】
0006019459.tif 000007